(57)【要約】      （修正有）【課題】放射空調パネルの単独設置や隙間を開けて設置することが出来る設置構成と設置方法を提供する。【解決手段】既存天井１に目隠し吊下げ天井６を用いて冷温水式放射空調パネル６を設置する事により、冷温水式放射空調パネル６の単独設置や隙間を開けて設置することが出来る。パネル間を結ぶ冷温水配管７を既存天井１と、目隠し吊下げ天井２の隙間に隠すことが出来、見栄えがよくなる。配管の接続作業用の天井点検口や照明器具や空調器具等を設置する為のダミーパネルが不要になる。目隠し吊下げ天井２には、照明器具類１３が設置できるほか、間接照明を設置するなど、照明のバリエーションも増え、意匠的にも見栄えの良い放射空調空間が演出できる。【選択図】図２
2020173083.tif 000002
【特許請求の範囲】
【請求項１】
冷温水式放射空調パネルを単独又は、間隔を開けて設置する為に、既存天井の下部に、目隠し吊下げ天井と、冷温水配管の接続を施工する為の開口を有し、冷温水配管と、冷温水式空調用放射パネル、ヒートポンプ式の冷温水発生装置を備えた構成とする目隠し吊下げ天井。
【請求項２】
従来のシステム天井の天井パネルと同じように設置するのではなく、冷温水式放射空調パネルを単独又は、間隔を開けて設置する為に、既存天井の下面に、目隠し吊下げ天井を構築し、該目隠し吊下げ天井面に該放射空調パネルの配置に合わせて、該放射空調パネルより小さい配管を接続する為の天井開口を設け、該放射空調パネルを設置する為の吊りボルトを４点下げた後、２点の吊り金物にて片側に傾いた状態で放射空調パネルを吊り下げ、全ての冷温水式放射空調パネルを設置した後、全ての熱源配管（冷温水管）の接続を既存天井と目隠し吊り下げ天井の間で行い、配管接続作業及び、耐圧試験が終了後に、残り２点の吊り金物を締めて固定する構築方法。
【発明の詳細な説明】
【技術分野】
【０００１】  本発明は、目隠し吊下げ天井による冷温水式放射空調パネルの設置構造及び、設置方法に関する。
【背景技術】
【０００２】  従来の冷温水式放射空調パネルの設置方法は、一般のシステム天井に天井パネルと同様に設置する場合が多い。一般のシステム天井と同様に、連続して天井に敷き詰めるように設置する。その為、放射パネル間の配管を接続する為の作業用の点検口や、照明器具や空調器具等を設置する為のダミーパネルを設置している。又、熱源配管（冷温水管）が露出してしまう為、冷温水式放射空調パネルの単独設置や隙間を開けて設置することが出来ない。
【先行技術文献】
【特許文献】
【０００３】
【特許文献１】特開２０１８−１３８８５０
【特許文献２】特開２０１５−１３２３９５
【発明の概要】
【発明が解決しようとする課題】
【０００４】冷温水式放射空調パネルを単独又は、隙間を開けて設置し、デザイン性を高めたいが、パネル間を結ぶ熱源配管（冷温水管）が露出してしまい、見栄えが悪い。又、配管の接続をする為の作業用の点検口や照明器具や空調器具等を設置する為のダミーパネルは、放射空調パネルの配置がまばらになり、放射空調効率を下げる為、極力減らしたい。【０００５】  そこで、本発明は、目隠し吊下げ天井を利用した冷温水式放射空調パネルの設置構成と設置方法を提供する。
【課題を解決するための手段】
【０００６】  冷温水式放射空調パネル６を単独又は、間隔を開けて設置する為に、既存天井の下部に、目隠し吊下げ天井２と、熱源配管（冷温水管）７の接続を施工する為の天井開口部開口９を有し、熱源配管（冷温水管）７と、冷温水式放射空調パネル６、ヒートポンプ式冷温水発生装置１４を備えた構成とする。【０００７】本発明の一形態は、既存の天井面の下に、放射空調パネルを設置する前に、目隠し吊下げ天井を構築する。
従来のシステム天井ではなく、冷温水式放射空調パネル６を単独又は、間隔を開けて設置する為に、既存天井１の下面に、目隠し吊下げ天井２を構築し、該目隠し吊下げ天井２に該冷温水式放射空調パネル６の配置に合わせて、該冷温水放射空調パネル６より小さい配管接続用天井開口部９を設け、該冷温水式放射空調パネル６を設置する為の吊りボルト８を４点下げた後、２点にて片側に傾いた状態で冷温水式放射空調パネル６を吊りボルト８ワッシャー１２ナット１１で吊り下げ、全ての冷温水式放射空調パネル６を設置した後、全ての熱源配管（冷温水管）７の接続を既存天井１と目隠し吊り下げ天井２の間で行い、配管接続作業が完了し、耐圧試験終了後に、残り２点の吊りボルト８ワッシャー１２ナット１１ボルトを締める構築方法とする。
【発明の効果】
【０００８】  本発明によれば、冷温水式放射空調パネル６の単独設置や隙間を開けて設置することが出来る。又、パネル間を結ぶ熱源配管（冷温水管）７を既存天井１と、目隠し吊下げ天井２の隙間に隠すことが出来、見栄えがよくなる。又、配管の接続作業用の天井点検口や照明器具や空調器具等を設置する為のダミーパネルが不要になる。同時に、冷温水式放射空調パネル６を均等に配置することが可能になり、放射空調効率を高めることが出来る。目隠し吊下げ天井６を用いて冷温水式放射空調パネル６を設置する事のより、デザインのバリエーションが格段に増え、デザイン性の非常に高い放射空調パネル空間の演出が可能になる。目隠し吊下げ天井２には、照明器具類１３が設置できるほか、例えば、既存天井、目隠し吊下げ天井、放射空調パネルの間の隙間に間接照明を設置するなど、照明のバリエーションも増え、意匠的にも見栄えの良い放射空調空間が演出できる。【０００９】  例えば、本実施形態に係る目隠し吊下げ天井２は、設置する部屋の種類に特に制限はなく、種々の部屋に設置できる。ヒートポンプ式の冷温水発生装置１５は、運転時の静かさとドラフトや、室内の熱ムラが少なく緩やかに冷暖房する特徴から、一般住宅・マンションの居室にとどまらず、図書室、病室、研究室、透析室、オーディオルーム、シアタールーム、和室、茶室、浴室、便所、新生児室、音楽室、と言ったあらゆる小スペースに適している。
【図面の簡単な説明】
【００１０】
【図１】ヒートポンプ式の冷温水発生装置のシステム図である。
【図２】目隠し吊下げ天井の構成図である。
【図３】目隠し吊下げ天井の実施工例図である。
【発明を実施するための形態】
【００１１】  いくつかの形態において、目隠し吊下げ天井２は、一般的な天井下地材（ＬＧＳ又は木軸等）と石膏ボード等（例えばＰＢ９ｍｍ厚）で、一般的な天井と同様に構築する。但し、必ずしも天井面全面に設置する必要は無く、冷温水式空調放射パネル６の設置に該当した箇所の設置で良い。
【００１２】  いくつかの形態において、目隠し吊下げ天井面２には、冷温水式放射空調パネル６を設置する箇所に応じて、該冷温水式放射空調パネル６より小さめの天井開口部９を要する。仮に、冷温水式放射空調パネル６が６００□とすると、目隠し吊下げ天井２の天井開口部９は、該冷温水式放射空調パネル６の芯に合わせて、約４５０□の開口を設ける。
【００１３】いくつかの形態において、目隠し吊下げ天井２の下方面は、塗装やクロス張りといった仕上げを施すことが好ましい。
【００１４】  いくつかの形態において、目隠し吊下げ天井２に設けた天井開口部９より、冷温水式放射空調パネル６を吊り下げる為の吊りボルト８を該冷温水式放射空調パネル毎に４箇所吊り下げる。必要に応じて、躯体構造物に後打ちアンカー等５の施工を行う。吊り下げ用の吊りボルト８の長さは、冷温水式放射空調パネル６の設置高さに合わせて、調整可能とする。
【００１５】  いくつかの形態において、吊り下げ用の吊りボルト８に、冷温水式放射空調パネル６の配管端部の無い側の２点をワッシャー１２とナット１１にて吊り下げる。この際は仮設置とし、緊結していない状態とする。全ての冷温水式放射空調パネル６を２点支持にて片側吊り状態で設置する。
【００１６】  いくつかの形態において、全ての冷温水式放射空調パネル６が２点支持にて片側吊り、仮締め状態のまま、該冷温水式放射空調パネル間６の熱源配管（冷温水管）７の配管の接続工事を実施する。冷温水式放射空調パネル６間の配管は既存天井１と目隠し折吊下げ天井２の間の隙間に構築し、下方から配管が露出しない様にする。配管以外の工事（ダクト工事、電気配線工事等）がある場合は、冷温水式放射空調パネル６が２点片側吊りの状態の時に施工する事が望ましい。
【００１７】熱源配管（冷温水管）７の材質は、アルミ三層管又は、架橋ポリエチレン管等が一般的だが、パイプの材質は、パネルメーカーの仕様に準ずる。
【００１８】  いくつかの形態において、冷温水式放射空調パネル６間の配管接続及び、配管の接続が完了し、耐圧試験等の漏洩確認後、残りの２点の支持点を、吊りボルト８、ワッシャー１２とナット１１にて吊り上げ、冷温水式放射空調パネル６が目隠し吊下げ天井２と水平になるように調整する。調整後全てのナット１１を締め固定する。尚、デザインによっては必ずしも水平に設置する必要は無い。
【００１９】  以下、添付図面を参照しながら本発明を実施するための形態を詳細に説明する。図面の説明において同一の要素には同一の符号を付し、重複する説明を省略する。
【００２０】  図１は、ヒートポンプ式の冷温水発生装置１４（以下、「冷温水発生装置」と言う）は冷温水式放射空調システムに用いられる。冷温水発生装置１４の詳細は、特開２０１８−１３８８５０による。放射とは、熱の移動方法の一種で、温度の高い方から低い方へ、熱が遠赤外線で移動する現象で、放射空調は人体（温度の高い方）から天井、壁、床（温度の低い方）へ熱が移動することにより温度感を感じる。
【００２１】  図２（Ａ）は既存天井を示す。
【００２２】  図２（Ｂ）は既存天井１下面の、目隠し吊下げ天井２の構築を示す。該目隠し吊下げ天井は、一般的な天井を構築するように、天井下地（ＬＧＳ）３と天井材（例えば、石膏ボード９ｍｍ）４にて構築する。
【００２３】  図１（Ｃ）は構築した目隠し吊下げ天井２に天上開口部９を開口し、放射空調パネルを吊り下げる為の吊りボルトの設置を示す。天井開口部９は、放射空調パネルを設置する配置を芯に、該放射空調パネルより小さく開口する。天井開口部９から、放射空調パネルを吊り下げる為の吊りボルト８を下げる。吊りボルト８は後打ちアンカー等５にて既存天井から支持される。
【００２４】  目隠し吊下げ天井２の表面は塗装、クロス貼り等で仕上げられるのが好ましい。
【００２５】  天井開口１から吊り下げられた吊りボルト８に放射空調パネル６の配管端部の無い側の２点を、ワッシャー１３ナット１２にて吊り下げる。この時点では、ナット１２は仮締めとし、放射空調パネル６が片側に傾いた状態で吊り下げる。（以降  片吊り）
【００２６】  図１（Ｄ）は、全ての放射空調パネル６を片吊り状態に吊り込みが完了した後、放射空調パネル間を熱源配管（冷温水管）７で接続する。熱源配管（冷温水管）７の配管接続は、既存天井１と目隠し吊下げ天井２の隙間に配管する。下面から熱源配管（冷温水管）７が見えない様に配管する。
【００２７】全ての熱源配管（冷温水管）７の配管が完了した後、耐圧試験を行い漏洩の無い事を確認する。
【００２８】  図１（Ｅ）は、片吊り状態の放射空調パネル６を、まだ吊り上げていない２点の吊りボルト８とワッシャー１３ナット１２にて締め上げ、放射空調パネル６が、目隠し吊下げ天井２と水平になるように調整した状態を示す。
【００２９】  放射空調パネル６が目隠し吊下げ天井２と水平になったら、全てのナット１２を締付し、固定する。
【００３０】  図３（Ａ）は連続的に冷温水式放射空調パネル６を設置した実施例で、熱源配管（冷温水管）７で一筆書きに連結され、熱源である冷温水発生装置１４からの供給される冷温水にて放射空調される。
【００３１】  図３（Ｂ）は目隠し吊下げ天井２を用いた冷温水式放射空調パネル６の設置実施例を示す。冷温水式放射空調パネル６は間隔を開けて配置されているが、冷温水配管（アルミ三層管）７は、既存天井１と目隠し吊下げ天井２の間の隙間に配管されている為見えない。
目隠し吊下げ天井にて放射空調パネルを設置する事のより、デザインのバリエーションが格段に増え、デザイン性の非常に高い放射空調パネル空間の演出が可能になる。既存のシステム天井タイプの放射空調パネルに比べ、冷温水式放射空調パネル６の配置のバリエーションも格段に増える。又、既存天井１、目隠し吊下天井２、冷温水式放射空調パネル６の間の隙間に間接照明１５を設置するなど、照明のバリエーションも増え、意匠的にも見栄えの良い素晴らしい放射空調空間が演出できる。
【００３２】  以上、本発明をその実施形態に基づいて詳細に説明した。しかし、本発明は上記実施形態に限定されるものではない。本発明は、その要旨を逸脱しない範囲で様々な変形が可能である。
【００３３】  例えば、本実施形態に係る目隠し吊下げ天井２は、熱源であるヒートポンプ式の冷温水発生装置をスマートフォンと連動させ、該冷温水発生装置の半径３０分圈内に近づくと起動し、圏外になると停止するようにする。冷暖房の切替は該冷温水発生装置にて自動制御する。温度の設定等は全てスマートフォン行い、メインスイッチを該冷温水発生装置に備える以外のすべてのスイッチ類を不要とする。
【符号の説明】
【００３４】１    既存天井
２    目隠し吊下げ天井
３    天井下地（ＬＧＳ）
４    天井材
５    後打ちアンカー等
６    冷温水式放射空調パネル
７    熱源配管（冷温水管）
８    吊りボルト
９    天井開口部
１０  吊り下げ金物
１１  ナット
１２  ワッシャ―
１３  照明器具類
１４  ヒートポンプ式の冷温水発生装置
１５  間接照明
【図１】
2020173083.tif 000003
【図２】
2020173083.tif 000004
【図３】
2020173083.tif 000005